【手続補正書】
【提出日】平成19年8月21日(2007.8.21)
【手続補正１】
【補正対象書類名】特許請求の範囲
【補正対象項目名】全文
【補正方法】変更
【補正の内容】
【特許請求の範囲】
【請求項１】
装飾画像データに配置される配置画像データに対する画質調整情報を生成する画質調整情報生成方法であって、
前記装飾画像データを取得する工程と、
前記取得された装飾画像データの画質の傾向を示す画質特性を取得する工程と、
前記取得された装飾画像データと関連付けられた、前記配置画像データの配置位置および配置寸法を規定するレイアウト制御情報に、前記取得された画質特性を書き込む工程とを含む画質調整情報生成方法。
【請求項２】
請求項１に記載の画質調整情報生成方法において、
前記取得された装飾画像データの画質特性を取得する工程は、前記レイアウト制御情報に前記装飾画像データの画質特性が書き込まれていない場合に実行される画質調整情報生成方法。
【請求項３】
請求項１に記載の画質調整情報生成方法において、
前記取得された画質特性を書き込む工程は、前記レイアウト制御情報に前記装飾画像データの画質特性が書き込まれていない場合に実行される画質調整情報生成方法。
【請求項４】
請求項１に記載の画質調整情報生成方法において、
前記装飾画像データの画質の傾向を判定する際に用いる画質特性判定指標を取得する工程と、
前記取得された画質特性判定指標と前記取得された画質特性とを用いて前記配置画像データに対する補正量を算出する工程とを含み、
前記取得された画質特性を書き込む工程は、前記算出された補正量を書き込む工程により実行される画質調整情報生成方法。
【請求項５】
請求項４に記載の画質調整情報生成方法において、
前記補正量を算出する工程は、前記レイアウト制御情報に前記配置画像データに対する補正量が書き込まれていない場合に実行される画質調整情報生成方法。
【請求項６】
請求項４に記載の画質調整情報生成方法において、
前記算出された補正量を書き込む工程は、前記レイアウト制御情報に前記配置画像データに対する補正量が書き込まれていない場合に実行される画質調整情報生成方法。
【請求項７】
装飾画像データに配置される配置画像データに対する画質調整情報を生成する画質調整情報生成方法であって、
前記装飾画像データを取得する工程と、
前記取得された前記装飾画像データの画質に関する統計値を取得する工程と、
前記装飾画像データと関連付けられた、前記配置画像データの配置位置および配置寸法を規定するレイアウト制御情報に、前記取得された統計値を書き込む工程と、
を含む画質調整情報生成方法。
【請求項８】
装飾画像データに配置される配置画像データに対する画像処理を実行する画像処理方法であって、
前記装飾画像データを取得する工程と、
前記装飾画像データに対して配置すべき前記配置画像データを取得する工程と、
前記装飾画像データに関連付けられた、前記配置画像データの配置位置および配置寸法および前記装飾画像データの画質の傾向を示す画質特性を含むレイアウト制御情報を取得する工程と、
前記取得されたレイアウト制御情報に含まれる画質特性に基づいて、前記配置画像データの画質を調整する工程と、
前記レイアウト制御情報と前記画質を調整する工程により画質を調整された配置画像データと前記装飾画像データとを用いて出力画像データを生成する工程と、を含む画像処理方法。
【請求項９】
装飾画像データに配置される配置画像データに対する画像処理を実行する画像処理方法であって、
前記装飾画像データを取得する工程と、
前記取得された装飾画像データの画質の傾向を示す画質特性を取得する工程と、
前記装飾画像データの画質の傾向を判定する際に用いる画質特性判定指標を取得する工程と、
前記取得された画質特性判定指標と前記取得された画質特性とを用いて前記配置画像データに対する補正量を算出する工程と、
前記装飾画像データに対して配置すべき前記配置画像データを取得する工程と、
前記装飾画像データに関連付けられた、前記配置画像データの配置位置および配置寸法を規定するレイアウト制御情報を取得する工程と、
前記算出された補正量に基づいて、前記配置画像データの画質を調整する工程と、
前記レイアウト制御情報と前記画質を調整する工程により画質を調整された配置画像データと前記装飾画像データとを用いて出力画像データを生成する工程と、
を含む画像処理方法。
【請求項１０】
装飾画像データに配置される配置画像データに対する画像処理を実行する画像処理方法であって、
前記装飾画像データを取得する工程と、
前記取得された装飾画像データの画質に関する統計値を取得する工程と、
前記装飾画像データに対して配置すべき前記配置画像データを取得する工程と、
前記装飾画像データに関連付けられた、前記配置画像データの配置位置および配置寸法を規定するレイアウト制御情報を取得する工程と、
前記取得された統計値を用いて、前記配置画像データの画質を調整する工程と、
前記レイアウト制御情報と前記画質を調整する工程により画質を調整された配置画像データと前記装飾画像データとを用いて出力画像データを生成する工程と、
を含む画像処理方法。
【請求項１１】
請求項１０に記載の画像処理方法において、
前記装飾画像データの画質の傾向を判定する際に用いるパラメータ基準値を取得する工程と、
前記取得されたパラメータ基準値と前記取得された統計値とを用いて前記配置画像データにおける前記画質パラメータの補正量を算出する工程と、を含み、
前記配置画像データの画質を調整する工程は、前記算出された前記画質パラメータの補正量を用いて前記配置画像データの画質を調整する画像処理方法。
【請求項１２】
請求項８ないし請求項１１のいずれかに記載の画像処理方法において、
前記配置画像データの画質を調整する工程は、前記装飾画像データと前記配置画像データの画質の傾向が異なるように前記配置画像データの画質を調整する画像処理方法。
【請求項１３】
請求項８ないし請求項１１のいずれかに記載の画像処理方法において、
前記配置画像データの画質を調整する工程は、前記装飾画像データと前記配置画像データの画質の傾向が近似または一致するように前記配置画像データの画質を調整する画像処理方法。
【請求項１４】
装飾画像データに配置される配置画像データに対する画質調整情報を生成する画質調整情報生成装置であって、
前記装飾画像データを取得する装飾画像データ取得手段と、
前記装飾画像データの画質の傾向を示す画質特性を取得する画質特性取得手段と、
前記装飾画像データに関連付けられた、前記配置画像データの配置位置および配置寸法を規定するレイアウト制御情報に、前記取得された画質特性を書き込む書き込み手段とを備える画質調整情報生成装置。
【請求項１５】
装飾画像データに配置される配置画像データに対する画質調整情報を生成する画質調整情報生成装置であって、
前記装飾画像データを取得する装飾画像データ取得手段と、
前記装飾画像データの画質に関する統計値を取得する統計値取得手段と、
前記装飾画像データに関連付けられた、前記配置画像データの配置位置および配置寸法を規定するレイアウト制御情報に、前記取得された統計値を書き込む書き込み手段とを備える画質調整情報生成装置。
【請求項１６】
装飾画像データに配置される配置画像データに対する画像処理を実行する画像処理装置であって、
前記装飾画像データを取得する装飾画像データ取得手段と、
前記装飾画像データに対して配置すべき前記配置画像データを取得する配置画像データ取得手段と、
前記装飾画像データに関連付けられた、前記配置画像データの配置位置および配置寸法および前記装飾画像データの画質の傾向を示す画質特性を含むレイアウト制御情報を取得するレイアウト制御情報取得手段と、
前記取得されたレイアウト制御情報に含まれる画質特性に基づいて、前記配置画像データの画質を調整する画質調整処理手段と、
前記レイアウト制御情報と前記画質調整処理手段により画質が調整された配置画像データと前記装飾画像データとを用いて出力画像データを生成する出力画像データ生成手段とを備える画像処理装置。
【請求項１７】
装飾画像データに配置される配置画像データに対する画像処理を実行する画像処理装置であって、
前記装飾画像データを取得する装飾画像データ取得手段と、
前記取得された装飾画像データの画質の傾向を示す画質特性を取得する画質特性取得手段と、
前記装飾画像データの画質の傾向を判定する際に用いる画質特性判定指標を取得する画質特性判定指標取得手段と、
前記取得された画質特性判定指標と前記取得した画質特性とを用いて前記配置画像データに対する補正量を算出する補正量算出手段と、
前記装飾画像データに対して配置すべき前記配置画像データを取得する配置画像データ取得手段と、
前記装飾画像データに関連付けられた、前記配置画像データの配置位置および配置寸法を規定するレイアウト制御情報を取得するレイアウト制御情報取得手段と、
前記算出された補正量に基づいて、前記配置画像データの画質を調整する画質調整処理手段と、
前記レイアウト制御情報と前記画質調整処理手段により画質が調整された配置画像データと前記装飾画像データとを用いて出力画像データを生成する出力画像データ生成手段とを備える画像処理装置。
【請求項１８】
装飾画像データに配置される配置画像データに対する画像処理を実行する画像処理装置であって、
前記装飾画像データを取得する装飾画像データ取得手段と、
前記取得された装飾画像データの画質に関する統計値を取得する統計値取得手段と、
前記装飾画像データに対して配置すべき前記配置画像データを取得する配置画像データ取得手段と、
前記装飾画像データに関連付けられた、前記配置画像データの配置位置および配置寸法を規定するレイアウト制御情報を取得するレイアウト制御情報取得手段と、
前記取得された統計値を用いて、前記配置画像データの画質を調整する画質調整処理手段と、
前記レイアウト制御情報と前記画質調整処理手段により画質が調整された配置画像データと前記装飾画像データとを用いて出力画像データを生成する出力画像データ生成手段とを備える画像処理装置。